(57)【特許請求の範囲】
【請求項１】
毛髪のエクステンションの取付け方法であって、
１つまたは複数の毛髪のエクステンションが取付けられる１つまたは複数の毛髪の場所に隣接する皮膚の保護選択領域に保護材を配置するステップと、
ベースと、共通する近位端で前記ベースに接続され前記ベースから離れて互いに離間したそれぞれの遠位端まで伸びる一対の対向するツイーザー部（ここで、それぞれのツイーザー部は、前記ベースから前記遠位端に伸びる対向する上面及び下面を有する。２つの前記下面は互いに向かい合っている。）と、前記ツイーザー部の片方における前記上面を超えてその上を伸びるアームと、前記ツイーザー部の前記片方の前記遠位端の近くで前記アームに結合されたＵＶ光源とを有するツイーザータイプのツールで、前記１つまたは複数の毛髪のエクステンションを掴むステップと、
結合剤を前記１つまたは複数の毛髪のエクステンションに塗布するステップと、
前記１つまたは複数の毛髪のエクステンションを前記１つまたは複数の毛髪の場所に接触させるステップと、
前記ＵＶ光源で前記１つまたは複数の毛髪のエクステンションの上の前記結合剤に照射し、それにより前記１つまたは複数の毛髪のエクステンションを前記１つまたは複数の毛髪の場所に取付けるために前記結合剤を硬化するステップと
を含む、毛髪のエクステンションの取付け方法。
【請求項２】
前記１つまたは複数の毛髪のエクステンションが、自然のまつ毛に取付くまつ毛エクステンションを含む、請求項１に記載の方法。
【請求項３】
前記１つまたは複数の毛髪のエクステンションが、皮膚から自然に生えた毛髪に取付く、請求項１に記載の方法。
【請求項４】
前記１つまたは複数の毛髪のエクステンションが、人工の毛髪に取付く、請求項１に記載の方法。
【請求項５】
前記保護材が、合成材料を含む保護ストリップを含む、請求項１に記載の方法。
【請求項６】
前記保護ストリップが、プラスチック材料でコーティングされた、請求項５に記載の方法。
【請求項７】
更に、前記結合剤を前記１つまたは複数の毛髪のエクステンションの上で引き伸ばすステップを含む、請求項１に記載の方法。
【請求項８】
前記結合剤が、シアノアクリラート系低粘度接着剤を含む、請求項１に記載の方法。
【請求項９】
前記結合剤が、モノマーおよび光開始剤を含む、請求項１に記載の方法。
【請求項１０】
前記モノマーがエチレングリコールジメタクリラートを含み、前記光開始剤がトリメチルベンゾイルフェニルホスフィナートを含む、請求項９に記載の方法。
【請求項１１】
前記モノマーが、１％〜５％の範囲の分量の光開始剤を含む、請求項９に記載の方法。
【請求項１２】
前記シアノアクリラート系低粘度接着剤が、着色されている、請求項８に記載の方法。
【請求項１３】
前記結合剤が、ＵＶ硬化性ジェルを含む、請求項１に記載の方法。
【請求項１４】
前記ＵＶ硬化性ジェルが、着色されている、請求項１３に記載の方法。
【請求項１５】
前記アームが、前記ベースに接続されている、請求項１に記載の方法。
【請求項１６】
前記ＵＶ光源が発光ダイオードである、請求項１記載の方法。
【請求項１７】
前記ＵＶ光源がＵＶレーザーである、請求項１に記載の方法。
【発明の詳細な説明】
【技術分野】
【０００１】
関連出願の相互参照
本非暫定的特許出願は、その内容が本明細書に記述されるように、参照として組込まれている「まつ毛エクステンションの時間短縮した取付けのための化学的に最小化されたシステム」と題する２０１５年５月１日に出願された米国特許仮出願第６２／１５５，９０２号の利点と優先権を主張する。
【０００２】
本出願は、一般にまつ毛エクステンションの塗り込みと取付けに関し、より詳細には、接着剤または硬化ジェル、並びに取付け時間短縮および化学的反応性材料の使用により、エクステンションの取付けを改善することを意図した内蔵ＵＶ光源を有するツイーザーを含むツールとの組合せを採用することによってまつ毛および毛髪エクステンションを複数位置に取付ける新規のシステムに関する。
【背景技術】
【０００３】
まつ毛および毛髪エクステンションを時間効率が良い方法で、正確で安全な取付け、または取付け後、取付け対象が自由に通常の行動ができる能力に妥協することなく取付けるシステムの良好な作業が、まつ毛エクステンションが市販されて以来、様々な問題に直面してきた。これら問題には、効率的な取付けシステムになるほど速く乾かないことや、見かけの悪い塊を生じることなく効率的に乾くことができない接着剤化合物、また取付け対象を有害な可能性のある排出ガスに晒すことが含まれる。これら問題にはまた、取付け対象にエクステンションが取付いている間、化粧落としを利用できないこと、または取付けから２４時間以内にシャワーを使用することや水泳に行くことができないことが含まれる。更に、取付けのプロフェッショナルによって行われる長時間に渡る取付け作業時間は、様々な慢性的で退化性症状を発達する結果になることがある。
【０００４】
本出願で説明されるシステムは、以下の要素の組合せを採用することによって、これら問題を新規の方法で解決する。それら要素には、低粘性の接着剤または密封性結合剤、およびマイクロアプリケーター、保護ストリップ、プラスチック製接着剤受け皿（Ｐ．Ａ．Ｄ．）、スポンジ先端アクセサリー、光開始反応を介して結合剤を硬化することができるＵＶ光源が取付けられたツイーザーを含むツールが含まれる。低粘性接着剤または密封性結合剤は、塗布後２〜３秒内で乾燥することができることから、取付けたエクステンションの正確で安全な取付けに妥協することなく、現在利用されている他の取付けシステムよりも全体の取付け時間を短縮できる。エクステンションの正確な配置は、マイクロアプリケーターを使用することによって促進されることができ、このマイクロアプリケーターは最少量の接着剤や結合剤を各取付けポイントに塗布するツールとして使用されるだけでなく、計量のためのツールおよび接着剤や結合剤の塗布時に平滑化する手段としても使用されることができる。ツイーザーは、個別のまたは束のエクステンションの配置のために利用されることができ、またツイーザーにＵＶ光源を取付けることを通じて新規の装置を形成する。この装置は、好適な結合剤を同時に硬化し、エクステンション取付けの間に休止することなく取付け領域に照射を当てるために利用されることができる。
【発明の概要】
【課題を解決するための手段】
【０００５】
本発明は、まつ毛や毛髪エクステンションを塗布および取付ける現行システムを、取付け手順を通して必要とされる時間を短縮することによって改善し、取付け対象がエクステンション取付け直後に支障なく日々の活動に参加できるようにしながら、手順の正確性や安全性に妥協することなく、取付け対象が有害な化学物質に晒されることを最小化する、新規の方法および装置として特徴付けられる。
【０００６】
本発明は、まつ毛および毛髪エクステンション取付けの専門的準備と実装用システムとして更に特徴付けられることができ、シアノアクリラート系接着剤、非粘着性結合ジェル、マイクロファイバー皮膚保護ストリップなどの化学的に減少された結合剤の使用、および、塗り込みパレット、ブラシレス・マイクロアプリケーター、および光源が取付いたツイーザーを含むことができる。接着剤は、望むように着色されるか、または無色であることができ、塗布して２〜３秒内で乾燥することができる。非粘着性結合ジェルは、望むように着色されるか、または無色であることができ、例えば、発光ダイオード（「ＬＥＤ」）またはＵＶレーザーなどのＵＶ照射源への露出を通じて、塗布が行われると同時に硬化することができる。マイクロファイバー皮膚保護ストリップは、取付け区域を囲む領域の形状や輪郭にフィットするようにカットされることができ、塗布時間と潜在的な皮膚露出を大きく削減できるようにする接着剤や結合剤を塗り込むためのパレットとして利用されることができる。マイクロデンタルブラシに類似したブラシレス・マイクロアプリケーターは、エクステンション取付けポイントに接着剤や結合剤を塗布するために使用されることができ、エクステンション取付けポイントを得るための計量のツールとして同時に利用されることができる。エクステンション取付けポイントは、互いに１ミリメートル内で、望む場合、皮膚表面の１ミリメートル内とすることができる。
【０００７】
ツイーザーは通常、それぞれの取付けポイントでまつ毛を分離して、取付ける時にまつ毛エクステンションを保持するために使用される。ツイーザーは、光源を取付け領域に向けて照射できるＵＶ光源が取付けられていてよく、より正確に取付けができるようにし、またエクステンション取付けのために非粘着性結合ジェルが使用される場合の硬化プロセスを可能にする。
【０００８】
本発明の目的、機能、および利点は、以下の本発明の様々な態様の詳細説明に以下の図面を合わせて参照することで明らかになるであろう。
【図面の簡単な説明】
【０００９】
【図１】対象者のまつ毛にまつ毛エクステンションを貼付けるための器具の輪郭線による斜視図であり、器具の実質的に類似したＬＥＤアームの２つのうち１つが示されている。
【図２】対象者のまつ毛にまつ毛エクステンションを貼付けるための器具の固体形態による斜視図であり、器具の実質的に類似したＬＥＤアームの２つのうち１つが示されている。
【図３】対象者のまつ毛にまつ毛エクステンションを貼付けるための器具の輪郭線による側面図であり、器具のアームのＬＥＤハウジングユニットの開いた下面の詳細が示されている。
【図４】対象者のまつ毛にまつ毛エクステンションを貼付けるための器具の固体形態による側面図であり、器具のアームのＬＥＤハウジングユニットの開いた下面の詳細が示されている。
【図５】対象者のまつ毛にまつ毛エクステンションを貼付けるための器具のベース領域の拡大した輪郭線による斜視図である。
【図６】対象者のまつ毛にまつ毛エクステンションを貼付けるための器具のベース領域の拡大した固体形態の斜視図である。
【図７】対象者のまつ毛にまつ毛エクステンションを貼付けるための器具の追加的な輪郭線による斜視図である。
【図８】対象者のまつ毛にまつ毛エクステンションを貼付けるための器具の追加的な固体形態の斜視図である。
【図９】対象者のまつ毛にまつ毛エクステンションを貼付けるための器具の代替的な実施形態を描いている。装置はベース領域を含まない形で示されており、ＬＥＤが取付けられたアームが直接ツイーザーの両側に取付けられたツイーザーと共に示されている。
【図１０】保護ストリップが示されるシステム操作の第１段階を描いている。１本のまつ毛が縮尺を示すために保護ストリップに並べて示されている。
【図１１】保護ストリップおよび取付け領域に隣接する塗込み領域に置かれた塗布用ジェルが示されるシステム操作の第２段階を描いている。
【図１２】まつ毛エクステンションのストリップの準備が示されているシステム操作の第３段階を描いている。
【図１３】望ましい取付け対象（この場合は１本のまつ毛エクステンション）が取付け領域の隣接する塗布用ジェルに浸されるシステム操作の第４段階を描いている。
【図１４】まつ毛エクステンションへ塗布する塗布用ジェルを平滑化するためにブラシレス・マイクロアプリケーターが使用されているシステム操作の第５段階を描いている。
【図１５】塗布用ジェルが一端をコーティングしたまつ毛が、所望の取付けポイントに位置決めして置かれるシステム操作の第６段階を描いている。
【図１６】取付けられたＬＥＤが点灯されて、一端が塗布用ジェルでコーティングされたまつ毛の上に位置決めされた器具が示されているシステム操作の第７段階を描いている。
【発明を実施するための形態】
【００１０】
本発明は、まつ毛エクステンションをユーザのまつ毛に取付けるためのシステムおよび器具の新規形態、並びに毛髪エクステンションを取付けるためのシステムおよび器具の新規形態に関する。以下の説明は、当業者が本発明を作製し使用することができるようにし、特定用途の情況に共に組み込むことができるように提示されるものである。様々な変更、並びに様々な異なる用途が、当業者にとっては容易に明らかとなり、本明細書で示す一般原則は、幅広い実施形態に適用されることができる。従って、本発明は示した実施形態に限定されることを意図したものではなく、本明細書で開示する原理と新規機能と整合性のある最も広い範囲に適用されるものとなる。
【００１１】
第１の好ましい実施形態
図面を参照すると、本システムの第１の実施形態が図１〜図８に描かれており、その使用方法を理解するため、複数の要素と段階を含むことができる。
【００１２】
本システムの第１の実施形態は、図１〜図８に描かれるような２台のＬＥＤ部品がその機構内に取付けられたツイーザーを備える器具１００を採用することができる。図１および図２で描かれるように、水平面に設置して上の角度から見たこの器具の次元は、範囲内に存在することができる。本装置の第１の実施形態は、両方のツイーザーとＬＥＤと取付けられることができる２本の実質的に類似したアームのうち１つを有する器具を図示する斜視図として、この要領で見ることができる。
【００１３】
図１および図２で描かれるように、器具１００はベース領域５およびベース領域５に接続する２つのツイーザー部６および６ａを備えている。好ましい実施形態において、器具１００の２つのツイーザー部位６と６ａの長さは、ツイーザー部６と６ａのそれぞれの終端部１と１ａからベース領域５の内側縁２ａまでを測定して約１３１ミリメートルであることができる。好ましい実施形態において、器具１００のボディ部５の長さは、ベース領域５の内側縁２ａとベース領域５の外側縁２との間で約３０ミリメートルであることができる。
【００１４】
ツイーザー部６および６ａは、概して矩形のボディ部４と４ａ、および概して三角形のテーパー部３と３ａを備えている。好ましい実施形態において、ボディ部４と４ａは、ベース５の内側縁２ａからツイーザー部６と６ａの湾曲部７と７ａまでを測定した長さが、約９１ミリメートルであり、概して均一な幅であることができる。好ましい実施形態において、ツイーザー部６と６ａのテーパー部３と３ａは、湾曲部７と７ａから終端部１と１ａまで約４０ミリメートルの長さで延びている。
【００１５】
好ましい実施形態において、ベース５の内側縁２ａと湾曲部７と７ａとの間のボディ部４と４ａの幅は、約１０ミリメートルであることができる。ツイーザー部６と６ａのテーパー部３と３ａは、湾曲部７と７ａ、および終端部１と１ａとの間で、テーパー部３と３ａの両側に沿って徐々に減少する幅を有することができる。好ましい実施形態において、テーパー部３と３ａの終端部１と１ａは、約１平方ミリメートルの面積を有する平坦化点８と８ａを備えている。好ましい実施形態において、ツイーザー部６と６ａのボディ部４と４ａ、およびテーパー部３と３ａは、それぞれ厚さが約９ミリメートルであることができる。
【００１６】
一実施形態において、ＬＥＤハウジングユニット２２を支持するアーム１０は、ツイーザー部６の外側面４を越えて、その上を延びている。追加の実施形態を参照する図９により具体的に描くように、ツイーザー部２９と２９ａは、制御可能で調整可能なツイーザー部２９と２９ａのための光源を備えた２本のアーム３０と３０ａによってひとまとめにされることもできる。
【００１７】
図１および図２に示すように、アーム１０は、ベース領域５の内側縁２ａの部位１１に接続し、そこから外側に延びている。図１および図２に描かれる角度から見ると、アーム１０は、外側面９および内側面１６を備えている。外側面９は、第１湾曲部１２、略直線部１３、第２湾曲部１４を備えている。好ましい実施形態において、アーム１０の外側面９の長さは約７４ミリメートルである。好ましい実施形態において、湾曲面１７と１７ａとの間に位置するアーム１０の内側面１６の長さは、約６７ミリメートルである。
【００１８】
好ましい実施形態において、アーム１０の第２湾曲部１４は、アーム１０の第１湾曲部１２より湾曲している。好ましい実施形態において、アーム１０の外側面９の湾曲部１２と１４は、凸状であってよく、アーム１０の内側面９の湾曲部１７と１７ａは、凹状であってよい。湾曲部１４は、約９０度の円弧に渡り湾曲し続けることができ、アーム１０はその後、概して直線状１５にＬＥＤハウジングユニット２２に接続するまで延びることができる。
【００１９】
直線部１５は、アーム１０とＬＥＤハウジングユニット２２に接続している。好ましい実施形態において、直線部１５は、約２２ミリメートルの長さと約７ミリメートルの幅を有する。
【００２０】
好ましい実施形態において、ＬＥＤハウジングユニット２２は、くり抜かれたカプセル剤半分の形状をしたシェル１８を備えている。ＬＥＤハウジングユニット２２は、垂直部１５と、ツイーザー部６のテーパー部３に向いている開口側１９に位置したシェル１８のくり抜かれた部分で接続されることができる。好ましい実施形態において、シェル１８は、約３０ミリメートルの長さと約７ミリメートルの内側幅を有することができる。
【００２１】
好ましい実施形態において、ＬＥＤハウジングユニット２２は、光および熱の集中的放射を可能にする一端にて湾曲して開口した部分２１を除いて閉じている２０シェルの一部１９を備えることができる。
【００２２】
図３に示すように、ＬＥＤハウジングユニット２２は、ＬＥＤが入ったライトを収容することができる内部ボウル２３を備えることができる。ＬＥＤハウジングユニット２２の開口部１９は、ランプがハウジングエリアの内部寸法に比べてわずかにオーバーサイズとすることができ、ランプは内部ボウル２３から外側へ突出することができる。ＬＥＤが入るオーバーサイズのランプをこの要領で収容することは、システムの稼働中に、この領域内に放出される熱の全体量を減らすことを目的としている。熱放出の減少は、システム内で使用されるＬＥＤの耐用年数を延ばすことができ、ＬＥＤがシステムで利用され塗布したジェルが硬化させるために機能できるようにする効果で妥協することなく、器具にヒートシンクを組み込む必要性をなくすことになる。
【００２３】
ＬＥＤハウジングユニット２２の一部は、ＬＥＤが入ったランプを取出し、挿入するために旋回して開くカバー２４を備えることができる。
【００２４】
水銀ランプなどの代替的な光源と比較した場合、ＬＥＤがシステム内部でより高い効率で作動することから、ＬＥＤは、光反応開始を介して塗布用ジェルを硬化するための好ましい手段であると考えられる。ランプ収容器やＬＥＤハウジングユニット２２はまた、他の代替的光源で必要とされる寸法に比べ、大幅に小さな寸法で表現されることができる。前述で描かれたように比較的小さな寸法で描かれたランプ収容器やＬＥＤハウジングユニット２２は、システム内での目標とする適用時間を満たしつつ、エネルギーの消費と散逸の許容レベルを依然として推進することができる。
【００２５】
好ましい実施形態において、ＬＥＤハウジングユニット２２内のＬＥＤは、約３１５ｎｍ〜４００ｎｍの範囲内のＵＶ−Ａ波長で光照射を生じる電気入力により作動することができる。ピーク波長帯は、約３９５ｎｍ〜４０５ｎｍの範囲にて、概算平均４００ｎｍで生じることができる。
【００２６】
図３に示すように、目標の波長帯範囲内でシステム内にて使用されるために動作するＬＥＤハウジングユニット２２内のＬＥＤは、約６０度〜１２０度の範囲２５の光照射を有することができる。ＬＥＤから照射される光は、湾曲した開口部２１を有するＬＥＤハウジングユニット２２によって意図された目標領域にフォーカスされることができる。ＬＥＤから放射される光の大部分が、ＬＥＤハウジングユニット２２の内壁２６によってこの範囲外に照射される光がＬＥＤハウジングユニット２２の内部に向けて反射され更にフォーカスされることができる。
【００２７】
器具内でツイーザーをまとめるアームに取付けられた２台のＬＥＤ光源の使用は、長い波長での、取付け対象に対する不安全な、不均等な露光を生じることなく目標領域へより近い近接性でのシステムのオペレーションができるようにすることを意図している。２つをまとめたＬＥＤ光源を使用することは、各塗布の間での塗布したジェルを硬化するために必要とされる露光時間を最短化することを更に意図している。
【００２８】
図５および図６に示すように、器具１００のベース領域５は、内側縁２ａの下側部位においてツイーザー部６および６ａの間の接続領域として働き、また、内側縁２ａの上側部位１１において、ブラケティングアーム１０との間の接続領域として働く。器具１００のベース領域５は、システムを利用する間に、人によって器具１００が握られることができるように働く。ベース領域５は、バッテリー用内蔵コンパートメント、およびシステム（図示せず）内で使用されるＬＥＤライトへの電気流を供給および制御すること目的としたマイクロプロセッサを収容することができる。
【００２９】
器具１００のベース領域５は、器具１００の各アーム１０の湾曲した外側に面した部位と接続するために、外側に面した長手方向の縁部２７の１つに沿って湾曲されることができる。ベース領域５の反対側の長手方向縁部２８は、約３０ミリメートルの長さで直線的に延びることができる。ベース領域５は、多角形状を含むことができる。
【００３０】
マイクロプロセッサは、各適用時の間で電流を遮断し、同時にパルス幅変調を通るエネルギーの流れの密度を制御するために、電流がＬＥＤへ流れるようにするためにプログラムされることから、システムのオペレーションのための望ましい部品である。この方法での器具のプログラムされたオペレーションの使用は、所定間隔の露光と遅延を有するシステムのオペレーションができるようにし、オペレーターが、システム稼働中に、適切な露光と休止の間隔を定める試みを不要にする。そのような事前設定は、オペレーションの効率およびＬＥＤの寿命を増加すること、および、目的領域への過度の露光照射の可能性を減少することができる。
【００３１】
システム内で使用されるマイクロプロセッサは、器具１００のベース領域５内に同様に収容されることができるワイヤレス・リチャージャブル回路およびバッテリーに接続されることができ、またＢｌｕｅｔｏｏｔｈ（登録商標）発信器および受信器、並びにマイクロコントローラーおよび安全遮断リレーと連結させることができる。マイクロプロセッサの採用はまた、システムがワイヤレスで操作されるようにすることができる。
【００３２】
システムの好ましい実施形態はまた、モノマーと光開始剤の組合せることを通じて配合されることができる塗布用ジェルを採用することもできる。
【００３３】
塗布用ジェルの配合は、エチレングリコールジメタクリラートを含むモノマーとトリメチルベンゾイルフェニルホスフィナートを含む光開始剤の組合せを通じて実現できる。
【００３４】
塗布用ジェルの組成物は、１％〜５％範囲の分量の光開始剤を含むことができる。
【００３５】
この方法で配合された塗布用ジェルは、粘性を帯びた状態から硬化状態へと、器具１００のアーム１０に取付けられたＬＥＤライトからの照射への露出によって硬化することができる。
【００３６】
塗布用ジェルは、各取付け対象をそれぞれの意図する目標領域に保持する物質として機能することが意図されている。
【００３７】
システムの第１の好ましい実施形態は、複数の段階を用いて実行されることができる。
【００３８】
図１０aに示すように、システム操作の第１段階は、貼付領域の準備として表現できる。貼付領域の準備には、綿、および潜在的にストリップへ貼り付く塗布用ジェルの問題を解決するためのプラスチックでコーティングされることができるものなどの多くの合成材料を含むことができる保護ストリップの配置が含まれる。保護ストリップは、貼付ポイントが位置することになる特定領域の輪郭にフィットするように切断されてもよい。
【００３９】
図１１に示すように、システム操作の第２段階は、所望する量の塗布用ジェルを好適な領域に塗り込むこととして表現できる。この目的のために、塗布用ジェルは、プラスチック製接着剤用受け皿または別の保護ストリップなどの複数のアイテムの上に置くことができる。
【００４０】
図１２に示すように、システム操作の第３段階は、まつ毛エクステンションのストリップなどの望ましい貼付対象物を塗り込まれた塗布用ジェルの近くに置くこととして表現できる。
【００４１】
図１３に示すように、システム操作の第４段階は、所望の数の貼付対象を器具１００で掴み、それぞれの塗布対象を塗布用ジェルに浸すこととして表現できる。
【００４２】
図１４に示すように、システム操作の第５段階は、ブラシレス・マイクロアプリケーターを使用して不均等で塗布対象の上で塊となっていることがある塗布用ジェルを平滑化することとして表現できる。
【００４３】
図１５に示すように、システム操作の第６段階は、所望の貼付ポイントの上に貼付対象を塗布用ジェルと共に位置させることとして表現できる。
【００４４】
図１６に示すように、システム操作の第７段階は、ＵＶ光源からの照射を使用して塗布用ジェルを貼付対象の上で硬化させ、所望の位置の貼付の所望の点で固定させることとして表現できる。
【００４５】
システム操作の第１〜７段階は、所望の結果を得るために、必要な回数で繰り返されることができる。
【００４６】
前述の内容は本発明の実施形態を対象とする一方で、図９で描かれた例示に、多数の異なるツイーザーおよび様々な寸法や形状のＬＥＤハウジングユニットを組み込むような、本発明の他の更なる実施形態が、基本的範囲を逸脱することなく、考案されることができる。他の実施形態においては、器具１００のアーム１０は、アーム１０を拡張させたり、収縮させたりすることができる長さ調節リングを組込むことができる。他の実施形態においては、モノマー類と光開始剤の異なる組合せから成る塗布用ジェルを採用することができる。
【００４７】
第２の好ましい実施形態
第２の好ましい実施形態において、本システムは、塗布用ジェルを所望の分量で直接、貼付の所望の領域に配置することとして表現できる第２段階と共に操作されることができる。
【００４８】
第２の好ましい実施形態において、本システムは、ブラシレス・マイクロアプリケーターを使用して不均等で塗布対象の上で塊となっていることがある塗布用ジェルを引き伸ばすこととして表現できる第５段階と共に操作されることができる。
【００４９】
第２の好ましい実施形態において、本システムは、貼付領域で所望の位置の貼付対象を塗布用ジェルと共に位置させることとして表現できる第６段階と共に操作されることができる。
【００５０】
第３の好ましい実施形態
図９および図１６に示すように、第３の好ましい実施形態において、本システムは、ツイーザー２９と２９ａおよびブラケッティングアーム３０と３０ａから構成される器具２００を使用することによって操作されることができ、ツイーザーとブラケッティングアームは、図１〜図８で描かれている第１実施形態で説明されたような方法とは異なる方法で形成され互いに取付けられている。
【００５１】
第４の好ましい実施形態
第４の好ましい実施形態において、システムは、ブラケッティングアームに対向するようにＬＥＤに取付く１本のアームのみを含む器具を使用することによって操作されることができる。１本のみのアームの使用と取付けられたＬＥＤは、低いエネルギー消費が望まれる場合に採用されることができる。
【００５２】
第５の好ましい実施形態
第５の好ましい実施形態において、取付け対象は毛髪エクステンションであってよい。
【００５３】
第６の好ましい実施形態
第６の好ましい実施形態において、ＵＶ照射の代替的な供給源は、器具３００に組込まれてよく、システムの操作に採用されるＵＶレーザーを含むものであってもよい。
【図１】
0006781246.tif 000002
【図２】
0006781246.tif 000003
【図３】
0006781246.tif 000004
【図４】
0006781246.tif 000005
【図５】
0006781246.tif 000006
【図６】
0006781246.tif 000007
【図７】
0006781246.tif 000008
【図８】
0006781246.tif 000009
【図９】
0006781246.tif 000010
【図１０】
0006781246.tif 000011
【図１１】
0006781246.tif 000012
【図１２】
0006781246.tif 000013
【図１３】
0006781246.tif 000014
【図１４】
0006781246.tif 000015
【図１５】
0006781246.tif 000016
【図１６】
0006781246.tif 000017